(57)【要約】【課題】環境状況に応じて、適切に、売電モードと宅内消費、蓄電池充電を切り替える。【解決手段】電力制御装置が、配電線電圧値を取得する配電線電圧値取得手段と、データベースから天候情報を取得する天候情報取得手段と、太陽光パネルで発電した電力の供給先を取得した情報に基づいて、切換制御する制御手段と、を備え、制御手段が、取得した配電線電圧値が所定の電圧値以上で、かつ、取得した天候情報から予め定められた時間以上に晴天が続くと予測される場合に、太陽光パネルで発電した電力を宅内で消費するモードあるいは、蓄電池に充電をしながら、宅内で消費するモードに切り替える。【選択図】図３
2014068502.tif 000002
【特許請求の範囲】
【請求項１】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムであって、
前記電力制御装置が、
配電線電圧値を取得する配電線電圧値取得手段と、
前記データベースから天候情報を取得する天候情報取得手段と、
太陽光パネルで発電した電力の供給先を該取得した情報に基づいて、切換制御する制御手段と、
を備え、
前記制御手段が、前記取得した配電線電圧値が所定の電圧値以上で、かつ、前記取得した天候情報から予め定められた時間以上に晴天が続くと予測される場合に、前記太陽光パネルで発電した電力を宅内で消費するモードあるいは、前記蓄電池に充電をしながら、宅内で消費するモードに切り替えることを特徴とする太陽光発電電力制御システム。
【請求項２】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムであって、
前記電力制御装置が、
配電線電圧値を取得する配電線電圧値取得手段と、
前記データベースから天候情報を取得する天候情報取得手段と、
太陽光パネルで発電した電力の供給先を該取得した情報に基づいて、切換制御する制御手段と、
を備え、
前記制御手段が、前記取得した配電線電圧値が所定の電圧値以上で、かつ、前記取得した天候情報から天候が晴天である場合に、リアルタイムに、前記太陽光パネルで発電した電力を宅内で消費するモードあるいは、前記蓄電池に充電をしながら、宅内で消費するモードに切り替えることを特徴とする太陽光発電電力制御システム。
【請求項３】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムであって、
前記電力制御装置が、
配電線電圧値を取得する配電線電圧値取得手段と、
前記データベースから、電力ピーク情報を取得する電力ピーク情報取得手段と、
前記データベースから、電気料金情報を取得する電力料金情報取得手段と、
前記データベースから天候情報を取得する天候情報取得手段と、
負荷での電力消費状況を検出する検出手段と、
太陽光パネルで発電した電力の供給先を該取得した情報に基づいて、切換制御する制御手段と、
を備え、
前記制御手段が、前記取得した配電線電圧値、電力ピーク情報、電気料金情報、天候情報と該検出した負荷での電力消費状況とを分析して、宅内での電力消費が最も経済的であると判断した場合に、前記太陽光パネルで発電した電力を宅内で消費するモードあるいは、前記蓄電池に充電をしながら、宅内で消費するモードに切り替えることを特徴とする太陽光発電電力制御システム。
【請求項４】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムであって、
前記電力制御装置が、
配電線電圧値を取得する配電線電圧値取得手段と、
負荷での電力消費状況を検出する検出手段と、
前記太陽光パネルでの発電電力量を計測する計測手段と、
前記蓄電池の残留容量を検出する残留容量検出手段と、
太陽光パネルで発電した電力の供給先を該取得した情報に基づいて、切換制御する制御手段と、
を備え、
前記制御手段が、前記取得した配電線電圧値から停電状態を検出し、前記太陽光パネルでの発電電力量が前記負荷での消費電力量よりも小さく、前記蓄電池の残留容量が所定範囲以下であるときに、前記太陽光パネルで発電した電力を宅内で消費するモードあるいは、宅内で消費を停止するモードに切り替えることを特徴とする太陽光発電電力制御システム。
【請求項５】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムであって、
前記電力制御装置が、
配電線電圧値を取得する配電線電圧値取得手段と、
負荷での電力消費状況を検出する検出手段と、
前記太陽光パネルでの発電電力量を計測する計測手段と、
前記蓄電池の残留容量を検出する残留容量検出手段と、
太陽光パネルで発電した電力の供給先を該取得した情報に基づいて、切換制御する制御手段と、
を備え、
前記制御手段が、前記取得した配電線電圧値から停電状態を検出し、前記太陽光パネルでの発電電力量が前記負荷での消費電力量よりも大きく、前記蓄電池の残留容量が所定範囲以上であるときに、前記太陽光パネルで発電した電力を宅内で消費するモードあるいは、前記蓄電池に充電をしながら、宅内で消費するモードに切り替えることを特徴とする太陽光発電電力制御システム。
【請求項６】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムにおける太陽光発電電力制御方法であって、
前記電力制御装置が、配電線電圧値と前記データベースから天候情報を取得する第１のステップと、
前記電力制御装置が、前記取得した配電線電圧値が所定の電圧値以上で、かつ、前記取得した天候情報から予め定められた時間以上に晴天が続くと予測される場合に、前記太陽光パネルで発電した電力を宅内で消費するモードあるいは、前記蓄電池に充電をしながら、宅内で消費するモードに切り替える第２のステップと、
を備えたことを特徴とする太陽光発電電力制御方法。
【請求項７】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムにおける太陽光発電電力制御方法であって、
前記電力制御装置が、前記データベースから、電力ピーク情報と電気料金情報と天候情報とを取得するとともに、配電線電圧値を取得し、負荷での電力消費状況を検出する第１のステップと、
前記電力制御装置が、前記取得した電力ピーク情報、電気料金情報、天候情報と該検出した負荷での電力消費状況とを分析して、宅内での電力消費が最も経済的であると判断した場合に、前記太陽光パネルで発電した電力を宅内で消費するモードあるいは、前記蓄電池に充電をしながら、宅内で消費するモードに切り替える第２のステップと、
を備えたことを特徴とする太陽光発電電力制御方法。
【請求項８】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムにおける太陽光発電電力制御方法であって、
前記電力制御装置が、配電線電圧値と負荷での電力消費状況と前記太陽光パネルでの発電電力量とを取得する第１のステップと、
前記電力制御装置が、前記蓄電池の残留容量を検出する第２のステップと、
前記電力制御装置が、前記取得した配電線電圧値から停電状態を検出し、前記太陽光パネルでの発電電力量が前記負荷での消費電力量よりも小さく、前記蓄電池の残留容量が所定範囲以下であるときに、前記太陽光パネルで発電した電力を宅内で消費するモードあるいは、宅内で消費を停止するモードに切り替える第３のステップと、
前記電力制御装置が、前記取得した配電線電圧値から停電状態を検出し、前記太陽光パネルでの発電電力量が前記負荷での消費電力量よりも大きく、前記蓄電池の残留容量が所定範囲以上であるときに、前記太陽光パネルで発電した電力を宅内で消費するモードあるいは、前記蓄電池に充電をしながら、宅内で消費するモードに切り替える第４のステップと、
を備えたことを特徴とする太陽光発電電力制御方法。
【請求項９】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムにおける太陽光発電電力制御方法をコンピュータに実行させるためのプログラムであって、
前記電力制御装置が、配電線電圧値と前記データベースから天候情報を取得する第１のステップと、
前記電力制御装置が、前記取得した配電線電圧値が所定の電圧値以上で、かつ、前記取得した天候情報から予め定められた時間以上に晴天が続くと予測される場合に、前記太陽光パネルで発電した電力を宅内で消費するモードあるいは、前記蓄電池に充電をしながら、宅内で消費するモードに切り替える第２のステップと、
をコンピュータに実行させるためのプログラム。
【請求項１０】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムにおける太陽光発電電力制御方法をコンピュータに実行させるためのプログラムであって、
前記電力制御装置が、前記データベースから、電力ピーク情報と電気料金情報と天候情報とを取得するとともに、配電線電圧値を取得し、負荷での電力消費状況を検出する第１のステップと、
前記電力制御装置が、前記取得した電力ピーク情報、電気料金情報、天候情報と該検出した負荷での電力消費状況とを分析して、宅内での電力消費が最も経済的であると判断した場合に、前記太陽光パネルで発電した電力を宅内で消費するモードあるいは、前記蓄電池に充電をしながら、宅内で消費するモードに切り替える第２のステップと、
をコンピュータに実行させるためのプログラム。
【請求項１１】
太陽光パネルと、該太陽光パネルで発電した電力を制御する電力制御装置と、電力消費に関する情報を保存するデータベースと、前記太陽光パネルで発電した電力を蓄える蓄電池とからなる太陽光発電電力制御システムにおける太陽光発電電力制御方法であって、
前記電力制御装置が、配電線電圧値と負荷での電力消費状況と前記太陽光パネルでの発電電力量とを取得する第１のステップと、
前記電力制御装置が、前記蓄電池の残留容量を検出する第２のステップと、
前記電力制御装置が、前記取得した配電線電圧値から停電状態を検出し、前記太陽光パネルでの発電電力量が前記負荷での消費電力量よりも小さく、前記蓄電池の残留容量が所定範囲以下であるときに、前記太陽光パネルで発電した電力を宅内で消費するモードあるいは、宅内で消費を停止するモードに切り替える第３のステップと、
前記電力制御装置が、前記取得した配電線電圧値から停電状態を検出し、前記太陽光パネルでの発電電力量が前記負荷での消費電力量よりも大きく、前記蓄電池の残留容量が所定範囲以上であるときに、前記太陽光パネルで発電した電力を宅内で消費するモードあるいは、前記蓄電池に充電をしながら、宅内で消費するモードに切り替える第４のステップと、
をコンピュータに実行させるためのプログラム。
【発明の詳細な説明】
【技術分野】
【０００１】
本発明は、太陽光発電システムに関し、環境状況に応じて、適切に、売電モードと宅内消費、蓄電池充電を切り替える太陽光発電電力制御システム、太陽光発電電力制御方法およびプログラムに関する。
【背景技術】
【０００２】
近年、地球温暖化や原発事故による放射能汚染等によって、環境とエネルギーに対する関心が急速に高まっている。こうした中で、太陽電池は再生可能かつ無尽蔵なクリーンエネルギー源として世界中から期待されている。ところで太陽光発電では、当然のことながら、太陽のでている昼間しかエネルギーを取り出せない。
【０００３】
太陽光発電では、太陽光パネルからの直流出力をインバーターで交流に変換し、この交流変換出力を我々が日常使用している商用交流系統等の電力系統と連系させ、即ち電力系統と併用する。そのため、太陽光パネルを屋根に設置すれば設置用の土地も不要なため、太陽光発電システムの普及が見込まれている（例えば、特許文献１参照。）。
【先行技術文献】
【特許文献】
【０００４】
【特許文献１】特許第２７１０７３６号公報
【発明の概要】
【発明が解決しようとする課題】
【０００５】
しかしながら、このような従来の太陽光発電システムでは、停電時の電力網への安全性を考慮して、発電された電力を逆潮流させず、その一部のみを宅内で消費できる機能のみが実装されていた。また、今後、太陽光発電システムが広く普及した場合、特定のエリアにおいて余剰電力が予測されるときには、発電を抑制し、電力網への逆潮流を防止することも検討されている。
【０００６】
つまり、従来のシステムでは、停電時に、太陽光により発電した電力の一部が無駄になったり、特定エリアにおいて余剰発電が予想される場合には、太陽光による発電を抑制しなければならないという問題がある。これは、従来のシステムでは、気象情報や電力料金情報といった外部情報を活用して逆潮流と宅内消費とを切り替える制御を適切に行えないことに問題があるためである。
【０００７】
そこで、本発明は、上述の課題に鑑みてなされたものであり、環境状況に応じて、適切に、売電モードと宅内消費、蓄電池充電を切り替える太陽光発電電力制御システム、太陽光発電電力制御方法を提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムであって、前記電力制御装置が、配電線電圧値を取得する配電線電圧値取得手段（例えば、図２の配電線電圧値取得部２４１に相当）と、前記データベースから天候情報を取得する天候情報取得手段（例えば、図２の天候情報取得部２４２に相当）と、太陽光パネルで発電した電力の供給先を該取得した情報に基づいて、切換制御する制御手段（例えば、図２の制御部２９０に相当）と、を備え、前記制御手段が、前記取得した配電線電圧値が所定の電圧値以上で、かつ、前記取得した天候情報から予め定められた時間以上に晴天が続くと予測される場合に、前記太陽光パネルで発電した電力を宅内で消費するモード、あるいは、前記蓄電池に充電をしながら、宅内で消費するモードに切り替えることを特徴とする太陽光発電電力制御システムを提案している。
【００１０】
この発明によれば、電力制御装置の配電線電圧値取得手段は、配電線電圧値を取得する。天候情報取得手段は、データベースから天候情報を取得する。制御手段は、太陽光パネルで発電した電力の供給先を取得した情報に基づいて、切換制御する。ここで、制御手段は、取得した配電線電圧値が所定の電圧値以上で、かつ、取得した天候情報から予め定められた時間以上に晴天が続くと予測される場合に、太陽光パネルで発電した電力を宅内で消費するモード、あるいは、蓄電池に充電をしながら、宅内で消費するモードに切り替える。つまり、この場合、自宅のあるエリアにおいて太陽光発電の余剰電力が発生すると判断し、太陽光発電による電力を宅内での消費や蓄電池への充電を行うことにより、発電した電力を無駄なく利用することができる。
【００１１】
（２）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムであって、前記電力制御装置が、配電線電圧値を取得する配電線電圧値取得手段（例えば、図２の配電線電圧値取得部２４１に相当）と、前記データベースから天候情報を取得する天候情報取得手段（例えば、図２の天候情報取得部２４２に相当）と、太陽光パネルで発電した電力の供給先を該取得した情報に基づいて、切換制御する制御手段（例えば、図２の制御部２９０に相当）と、を備え、前記制御手段が、前記取得した配電線電圧値が所定の電圧値以上で、かつ、前記取得した天候情報から天候が晴天である場合に、リアルタイムに、前記太陽光パネルで発電した電力を宅内で消費するモード、あるいは、前記蓄電池に充電をしながら、宅内で消費するモードに切り替えることを特徴とする太陽光発電電力制御システムを提案している。
【００１２】
この発明によれば、電力制御装置の配電線電圧値取得手段は、配電線電圧値を取得する。天候情報取得手段は、データベースから天候情報を取得する。制御手段は、太陽光パネルで発電した電力の供給先を取得した情報に基づいて、切換制御する。ここで、制御手段は、取得した配電線電圧値が所定の電圧値以上で、かつ、取得した天候情報から天候が晴天である場合に、リアルタイムに、太陽光パネルで発電した電力を宅内で消費するモード、あるいは、蓄電池に充電をしながら、宅内で消費するモードに切り替える。つまり、この場合、自宅のあるエリアにおいて太陽光発電の余剰電力が発生するとリアルタイムに、判断し、太陽光発電による電力を宅内での消費や蓄電池への充電を行うことにより、発電した電力を無駄なく、しかも、より効率よく利用することができる。
【００１３】
（３）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムであって、前記電力制御装置が、配電線電圧値を取得する配電線電圧値取得手段（例えば、図５の配電線電圧値取得部２４１に相当）と、前記データベースから、電力ピーク情報を取得する電力ピーク情報取得手段（例えば、図５の電力ピーク情報取得部２４４に相当）と、前記データベースから、電気料金情報を取得する電力料金情報取得手段（例えば、図５の電気料金情報取得部２４３に相当）と、前記データベースから天候情報を取得する天候情報取得手段（例えば、図５の天候情報取得部２４２に相当）と、負荷での電力消費状況を検出する検出手段と、太陽光パネルで発電した電力の供給先を該取得した情報に基づいて、切換制御する制御手段（例えば、図５の制御部２９１に相当）と、を備え、前記制御手段が、前記取得した配電線電圧値、電力ピーク情報、電気料金情報、天候情報と該検出した負荷での電力消費状況とを分析して、宅内での電力消費が最も経済的であると判断した場合に、前記太陽光パネルで発電した電力を宅内で消費するモード、あるいは、前記蓄電池に充電をしながら、宅内で消費するモードに切り替えることを特徴とする太陽光発電電力制御システムを提案している。
【００１４】
この発明によれば、電力制御装置の配電線電圧値取得手段は、配電線電圧値を取得する。電力ピーク情報取得手段は、データベースから、電力ピーク情報を取得する。電力料金情報取得手段は、データベースから、電気料金情報を取得する。天候情報取得手段は、データベースから天候情報を取得する。検出手段は、負荷での電力消費状況を検出する。制御手段は、太陽光パネルで発電した電力の供給先を取得した情報に基づいて、切換制御する。ここで、制御手段は、取得した配電線電圧値、電力ピーク情報、電気料金情報、天候情報と検出した負荷での電力消費状況とを分析して、宅内での電力消費が最も経済的であると判断した場合に、太陽光パネルで発電した電力を宅内で消費するモード、あるいは、蓄電池に充電をしながら、宅内で消費するモードに切り替える。したがって、太陽光発電で発電した電力を無駄なく、かつ、経済的に利用することができる。
【００１５】
（４）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムであって、前記電力制御装置が、配電線電圧値を取得する配電線電圧値取得手段（例えば、図７の配電線電圧値取得部２４１に相当）と、負荷での電力消費状況を検出する検出手段と、前記太陽光パネルでの発電電力量を計測する計測手段と、前記蓄電池の残留容量を検出する残留容量検出手段と、太陽光パネルで発電した電力の供給先を該取得した情報に基づいて、切換制御する制御手段（例えば、図７の制御部２９２に相当）と、を備え、前記制御手段が、前記取得した配電線電圧値から停電状態を検出し、前記太陽光パネルでの発電電力量が前記負荷での消費電力量よりも小さく、前記蓄電池の残留容量が所定範囲以下であるときに、前記太陽光パネルで発電した電力を宅内で消費するモードあるいは、宅内で消費を停止するモードに切り替えることを特徴とする太陽光発電電力制御システムを提案している。
【００１６】
この発明によれば、電力制御装置の配電線電圧値取得手段は、配電線電圧値を取得する。検出手段は、負荷での電力消費状況を検出する。計測手段は、太陽光パネルでの発電電力量を計測する。残留容量検出手段は、蓄電池の残留容量を検出する。制御手段は、太陽光パネルで発電した電力の供給先を取得した情報に基づいて、切換制御する。ここで、制御手段は、取得した配電線電圧値から停電状態を検出し、前記太陽光パネルでの発電電力量が前記負荷での消費電力量よりも小さく、前記蓄電池の残留容量が所定範囲以下であるときに、前記太陽光パネルで発電した電力を宅内で消費するモードあるいは、宅内で消費を停止するモードに切り替える。したがって、停電時でしかも、太陽光パネルでの発電電力量が負荷での消費電力量よりも小さく、前記蓄電池の残留容量が所定範囲以下であるときに、太陽光パネルで発電した電力を宅内で消費するモードあるいは、宅内で消費を停止するモードに切り替えることにより、太陽光発電により発電した電力を無駄なく、有効に利用することができる。
【００１７】
（５）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムであって、前記電力制御装置が、配電線電圧値を取得する配電線電圧値取得手段（例えば、図７の配電線電圧値取得部２４１に相当）と、負荷での電力消費状況を検出する検出手段と、前記太陽光パネルでの発電電力量を計測する計測手段と、前記蓄電池の残留容量を検出する残留容量検出手段と、太陽光パネルで発電した電力の供給先を該取得した情報に基づいて、切換制御する制御手段（例えば、図７の制御部２９２に相当）と、を備え、前記制御手段が、前記取得した配電線電圧値から停電状態を検出し、前記太陽光パネルでの発電電力量が前記負荷での消費電力量よりも大きく、前記蓄電池の残留容量が所定範囲以上であるときに、前記太陽光パネルで発電した電力を宅内で消費するモードあるいは、前記蓄電池に充電をしながら、宅内で消費するモードに切り替えることを特徴とする太陽光発電電力制御システムを提案している。
【００１８】
この発明によれば、電力制御装置の配電線電圧値取得手段は、配電線電圧値を取得する。検出手段は、負荷での電力消費状況を検出する。計測手段は、太陽光パネルでの発電電力量を計測する。残留容量検出手段は、蓄電池の残留容量を検出する。制御手段は、太陽光パネルで発電した電力の供給先を取得した情報に基づいて、切換制御する。ここで、制御手段は、取得した配電線電圧値から停電状態を検出し、太陽光パネルでの発電電力量が負荷での消費電力量よりも大きく、蓄電池の残留容量が所定範囲以上であるときに、太陽光パネルで発電した電力を宅内で消費するモードあるいは、蓄電池に充電をしながら、宅内で消費するモードに切り替えることにより、太陽光発電により発電した電力を無駄なく、有効に利用することができる。
【００１９】
（６）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムにおける太陽光発電電力制御方法であって、前記電力制御装置が、配電線電圧値と前記データベースから天候情報を取得する第１のステップ（例えば、図３のステップＳ１０１に相当）と、前記電力制御装置が、前記取得した配電線電圧値が所定の電圧値以上で、かつ、前記取得した天候情報から予め定められた時間以上に晴天が続くと予測される場合（例えば、図３のステップＳ１０２の「有り」に相当）に、前記太陽光パネルで発電した電力を宅内で消費するモード（例えば、図３のステップＳ１０９に相当）あるいは、前記蓄電池に充電をしながら、宅内で消費するモードに切り替える第２のステップ（例えば、図３のステップＳ１０８に相当）と、を備えたことを特徴とする太陽光発電電力制御方法を提案している。
【００２０】
この発明によれば、電力制御装置が、配電線電圧値と前記データベースから天候情報を取得し、取得した配電線電圧値が所定の電圧値以上で、かつ、取得した天候情報から予め定められた時間以上に晴天が続くと予測される場合に、太陽光パネルで発電した電力を宅内で消費するモードあるいは、蓄電池に充電をしながら、宅内で消費するモードに切り替える。つまり、この場合、自宅のあるエリアにおいて太陽光発電の余剰電力が発生すると判断し、太陽光発電による電力を宅内での消費や蓄電池への充電を行うことにより、発電した電力を無駄なく利用することができる。
【００２１】
（７）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムにおける太陽光発電電力制御方法であって、前記電力制御装置が、前記データベースから、電力ピーク情報と電気料金情報と天候情報とを取得するとともに、配電線電圧値を取得し、負荷での電力消費状況を検出する第１のステップ（例えば、図６のステップＳ２０１に相当）と、前記電力制御装置が、前記取得した電力ピーク情報、電気料金情報、天候情報と該検出した負荷での電力消費状況とを分析して、宅内での電力消費が最も経済的であると判断した場合（例えば、図６のステップＳ２０３に相当）に、前記太陽光パネルで発電した電力を宅内で消費するモード（例えば、図６のステップＳ２１０に相当）あるいは、前記蓄電池に充電をしながら、宅内で消費するモード（例えば、図６のステップＳ２０９に相当）に切り替える第２のステップと、を備えたことを特徴とする太陽光発電電力制御方法を提案している。
【００２２】
この発明によれば、電力制御装置が、データベースから、電力ピーク情報と電気料金情報と天候情報とを取得するとともに、配電線電圧値を取得し、負荷での電力消費状況を検出し、取得した電力ピーク情報、電気料金情報、天候情報と検出した負荷での電力消費状況とを分析して、宅内での電力消費が最も経済的であると判断した場合に、太陽光パネルで発電した電力を宅内で消費するモードあるいは、蓄電池に充電をしながら、宅内で消費するモードに切り替える。したがって、太陽光発電で発電した電力を無駄なく、かつ、経済的に利用することができる。
【００２３】
（８）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムにおける太陽光発電電力制御方法であって、前記電力制御装置が、配電線電圧値と負荷での電力消費状況と前記太陽光パネルでの発電電力量とを取得する第１のステップ（例えば、図８のステップＳ３０１、ステップＳ３０３に相当）と、前記電力制御装置が、前記蓄電池の残留容量を検出する第２のステップ（例えば、図８のステップＳ３０４、ステップＳ３０８に相当）と、前記電力制御装置が、前記取得した配電線電圧値から停電状態を検出（例えば、図８のステップＳ３０１に相当）し、前記太陽光パネルでの発電電力量が前記負荷での消費電力量よりも小さく、前記蓄電池の残留容量が所定範囲以下であるときに、前記太陽光パネルで発電した電力を宅内で消費するモードあるいは、宅内で消費を停止するモードに切り替える第３のステップ（例えば、図８のステップＳ３０５、ステップＳ３０６、ステップＳ３０７に相当）と、前記電力制御装置が、前記取得した配電線電圧値から停電状態を検出し、前記太陽光パネルでの発電電力量が前記負荷での消費電力量よりも大きく、前記蓄電池の残留容量が所定範囲以上であるときに、前記太陽光パネルで発電した電力を宅内で消費するモードあるいは、前記蓄電池に充電をしながら、宅内で消費するモードに切り替える第４のステップ（例えば、図８のステップＳ３０９、ステップＳ３１０に相当）と、を備えたことを特徴とする太陽光発電電力制御方法を提案している。
【００２４】
この発明によれば、電力制御装置が、配電線電圧値と負荷での電力消費状況と太陽光パネルでの発電電力量とを取得し、蓄電池の残留容量を検出し、取得した配電線電圧値から停電状態を検出し、太陽光パネルでの発電電力量が負荷での消費電力量よりも小さく、蓄電池の残留容量が所定範囲以下であるときに、太陽光パネルで発電した電力を宅内で消費するモードあるいは、宅内で消費を停止するモードに切り替え、取得した配電線電圧値から停電状態を検出し、太陽光パネルでの発電電力量が負荷での消費電力量よりも大きく、蓄電池の残留容量が所定範囲以上であるときに、太陽光パネルで発電した電力を宅内で消費するモードあるいは、蓄電池に充電をしながら、宅内で消費するモードに切り替える。したがって、太陽光発電により発電した電力を無駄なく、有効に利用することができる。
【００２５】
（９）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムにおける太陽光発電電力制御方法をコンピュータに実行させるためのプログラムであって、前記電力制御装置が、配電線電圧値と前記データベースから天候情報を取得する第１のステップ（例えば、図３のステップＳ１０１に相当）と、前記電力制御装置が、前記取得した配電線電圧値が所定の電圧値以上で、かつ、前記取得した天候情報から予め定められた時間以上に晴天が続くと予測される場合（例えば、図３のステップＳ１０２の「有り」に相当）に、前記太陽光パネルで発電した電力を宅内で消費するモード（例えば、図３のステップＳ１０９に相当）あるいは、前記蓄電池に充電をしながら、宅内で消費するモードに切り替える第２のステップ（例えば、図３のステップＳ１０８に相当）と、をコンピュータに実行させるためのプログラムを提案している。
【００２６】
この発明によれば、電力制御装置が、配電線電圧値と前記データベースから天候情報を取得し、取得した配電線電圧値が所定の電圧値以上で、かつ、取得した天候情報から予め定められた時間以上に晴天が続くと予測される場合に、太陽光パネルで発電した電力を宅内で消費するモードあるいは、蓄電池に充電をしながら、宅内で消費するモードに切り替える。つまり、この場合、自宅のあるエリアにおいて太陽光発電の余剰電力が発生すると判断し、太陽光発電による電力を宅内での消費や蓄電池への充電を行うことにより、発電した電力を無駄なく利用することができる。
【００２７】
（１０）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムにおける太陽光発電電力制御方法をコンピュータに実行させるためのプログラムであって、前記電力制御装置が、前記データベースから、電力ピーク情報と電気料金情報と天候情報とを取得するとともに、配電線電圧値を取得し、負荷での電力消費状況を検出する第１のステップ（例えば、図６のステップＳ２０１に相当）と、前記電力制御装置が、前記取得した電力ピーク情報、電気料金情報、天候情報と該検出した負荷での電力消費状況とを分析して、宅内での電力消費が最も経済的であると判断した場合（例えば、図６のステップＳ２０３に相当）に、前記太陽光パネルで発電した電力を宅内で消費するモード（例えば、図６のステップＳ２１０に相当）あるいは、前記蓄電池に充電をしながら、宅内で消費するモード（例えば、図６のステップＳ２０９に相当）に切り替える第２のステップと、をコンピュータに実行させるためのプログラムを提案している。
【００２８】
この発明によれば、電力制御装置が、データベースから、電力ピーク情報と電気料金情報と天候情報とを取得するとともに、配電線電圧値を取得し、負荷での電力消費状況を検出し、取得した電力ピーク情報、電気料金情報、天候情報と検出した負荷での電力消費状況とを分析して、宅内での電力消費が最も経済的であると判断した場合に、太陽光パネルで発電した電力を宅内で消費するモードあるいは、蓄電池に充電をしながら、宅内で消費するモードに切り替える。したがって、太陽光発電で発電した電力を無駄なく、かつ、経済的に利用することができる。
【００２９】
（１１）本発明は、太陽光パネル（例えば、図１の太陽光パネル１００に相当）と、該太陽光パネルで発電した電力を制御する電力制御装置（例えば、図１の電力制御装置２００に相当）と、電力消費に関する情報を保存するデータベース（例えば、図１のデータベース４００に相当）と、前記太陽光パネルで発電した電力を蓄える蓄電池（例えば、図１の蓄電池３００に相当）とからなる太陽光発電電力制御システムにおける太陽光発電電力制御方法であって、前記電力制御装置が、配電線電圧値と負荷での電力消費状況と前記太陽光パネルでの発電電力量とを取得する第１のステップ（例えば、図８のステップＳ３０１、ステップＳ３０３に相当）と、前記電力制御装置が、前記蓄電池の残留容量を検出する第２のステップ（例えば、図８のステップＳ３０４、ステップＳ３０８に相当）と、前記電力制御装置が、前記取得した配電線電圧値から停電状態を検出（例えば、図８のステップＳ３０１に相当）し、前記太陽光パネルでの発電電力量が前記負荷での消費電力量よりも小さく、前記蓄電池の残留容量が所定範囲以下であるときに、前記太陽光パネルで発電した電力を宅内で消費するモードあるいは、宅内で消費を停止するモードに切り替える第３のステップ（例えば、図８のステップＳ３０５、ステップＳ３０６、ステップＳ３０７に相当）と、前記電力制御装置が、前記取得した配電線電圧値から停電状態を検出し、前記太陽光パネルでの発電電力量が前記負荷での消費電力量よりも大きく、前記蓄電池の残留容量が所定範囲以上であるときに、前記太陽光パネルで発電した電力を宅内で消費するモードあるいは、前記蓄電池に充電をしながら、宅内で消費するモードに切り替える第４のステップ（例えば、図８のステップＳ３０９、ステップＳ３１０に相当）と、をコンピュータに実行させるためのプログラムを提案している。
【００３０】
この発明によれば、電力制御装置が、配電線電圧値と負荷での電力消費状況と太陽光パネルでの発電電力量とを取得し、蓄電池の残留容量を検出し、取得した配電線電圧値から停電状態を検出し、太陽光パネルでの発電電力量が負荷での消費電力量よりも小さく、蓄電池の残留容量が所定範囲以下であるときに、太陽光パネルで発電した電力を宅内で消費するモードあるいは、宅内で消費を停止するモードに切り替え、取得した配電線電圧値から停電状態を検出し、太陽光パネルでの発電電力量が負荷での消費電力量よりも大きく、蓄電池の残留容量が所定範囲以上であるときに、太陽光パネルで発電した電力を宅内で消費するモードあるいは、蓄電池に充電をしながら、宅内で消費するモードに切り替える。したがって、太陽光発電により発電した電力を無駄なく、有効に利用することができる。
【発明の効果】
【００３１】
本発明によれば、地震や台風等の自然災害や大規模事故による長時間停電時や余剰発電時において、太陽光発電により発電した電力を無駄なく利用することができるという効果がある。また、太陽光発電により発電した電力を蓄電池に蓄電し、電力使用のピーク時において、この蓄電池からの電力を使用することによって、電力会社からの使用電力を抑制することができるという効果がある。また、一般家庭や小規模ビル等へ適用することにより、通常時には、太陽光発電により発電した電力をクリーンエネルギーとして、エリア内へ最大限供給し、停電時には、宅内や自建造物での電力利用の継続使用が可能となるという効果がある。
【図面の簡単な説明】
【００３２】
【図１】本発明の太陽光発電電力制御システムの構成を示す図である。
【図２】本発明の第１の実施形態に係る電力制御装置の構成を示す図である。
【図３】本発明の第１の実施形態に係る太陽光発電電力制御システムの処理を示す図である。
【図４】本発明の第１の実施形態に係る余剰電力に関する概念図である。
【図５】本発明の第２の実施形態に係る電力制御装置の構成を示す図である。
【図６】本発明の第２の実施形態に係る太陽光発電電力制御システムの処理を示す図である。
【図７】本発明の第３の実施形態に係る電力制御装置の構成を示す図である。
【図８】本発明の第３の実施形態に係る太陽光発電電力制御システムの処理を示す図である。
【発明を実施するための形態】
【００３３】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３４】
以下、図１から図８を用いて、本発明の実施形態について説明する。
【００３５】
＜第１の実施形態＞
図１から図４を用いて、本発明の第１の実施形態について説明する。
なお、本実施形態は、配電線電圧値が所定の電圧値以上で、かつ、取得した天候情報から予め定められた時間以上に晴天が続くと予測される場合に、太陽光パネルで発電した電力を宅内で消費するモードあるいは、蓄電池に充電をしながら、宅内で消費するモードに切り替えるものである。
【００３６】
＜太陽光発電電力制御システムの構成＞
本発明に係る太陽光発電電力制御システムは、図１に示すように、太陽光パネル１００と、電力制御装置２００と、蓄電池３００と、データベース４００と、負荷装置５００とから構成されている。
【００３７】
太陽光パネル（ｓｏｌａｒ  ｐａｎｅｌ）１００は、太陽電池をいくつも並べて相互接続し、パネル状にしたものである。１枚の太陽光パネル１００が発電できる電力は限られており、通常は複数枚並べて設置する。これを太陽電池アレイと呼ぶ。太陽光パネル１００太陽からの光エネルギー（光子）を使い、光起電力効果を応用して電気を発生させる。モジュールの構造を保持するのは上層の場合（表板構造）や下層の場合（基板構造）がある。よく使われるのはウェハベースの結晶シリコンを使った太陽電池とテルル化カドミウムまたはシリコンを使った薄膜型の太陽電池である。
【００３８】
電力制御装置２００は、太陽光パネルで発電した電力をそれぞれの状況に応じて制御する。なお、詳細については、後述する。
【００３９】
蓄電池３００は、充電を行うことにより電気を蓄えて電池として使用できる様になり、繰り返し使用することが出来る電池（化学電池）である。代表的なものとしては、リチウムイオン電池が挙げられる。このリチウムイオン電池は、非水電解質二次電池の一種で、電解質中のリチウムイオンが電気伝導を担う二次電池である。現在では、正極にリチウム金属酸化物を用い、負極にグラファイトなどの炭素材を用いるものが主流となっている。
【００４０】
データベース４００は、天候情報や電力ピーク情報、電力料金情報等の情報を記憶する記憶装置である。負荷装置５００は、電力を消費する装置であり、例えば、テレビやパソコン、照明器具、エアコン等が挙げられる。
【００４１】
＜電力制御装置の構成＞
図２を用いて、本実施形態に係る電力制御装置の構成について説明する。本実施形態に係る電力制御装置は、図２に示すように、ＭＰＰＴ  ＤＣ／ＤＣコンバータ２１０と、切替部２２０と、ＤＣ／ＡＣインバータ２３０と、配電線電圧値取得部２４１と、天候情報取得部２４２と、ＤＣ分電部２６０と、ＡＣ分電部２７０と、ＡＣ／ＤＣコンバータ２８０と、制御部２９０とから構成されている。
【００４２】
ＭＰＰＴ  ＤＣ／ＤＣコンバータ２１０は、ＭＰＰＴコントローラとＤＣ／ＤＣコンバータとからなり、ＭＰＰＴコントローラは、太陽光発電で使用する太陽光パネル１００に搭載されている、出力を最大化できる最適な電流×電圧の値（最大電力点あるいは最適動作点）を自動で求めることができる制御装置である。電力は電流と電圧の積で求められ、電圧と電流を適切なバランスで制御することによって取り出せる電力の値を最大化することができる。つまり、ＭＰＰＴコントローラが自動的に制御することで、太陽光パネル１００は、設置場所や天候に応じた最大出力を得ることが可能となっている。
【００４３】
切替部２２０は、ＭＰＰＴ  ＤＣ／ＤＣコンバータ２１０から供給される電力を売電電力系あるいは蓄電池３００や負荷装置５００に切り替える。ＤＣ／ＡＣインバータ２３０は、売電電力系に電力を供給するために、ＭＰＰＴ  ＤＣ／ＤＣコンバータ２１０からの電力を交流電力に変換する。
【００４４】
配電線電圧値取得部２４１は、配電線電圧値を取得する。天候情報取得部２４２は、データベース４００から天候情報を取得する。ＤＣ分電部２６０は、直流負荷装置に直流電力を供給する。ＡＣ分電部２７０は、交流負荷装置に交流電力を供給する。ＡＣ／ＤＣコンバータ２８０は、買電電力系からの交流電力を直流電力に変換する。
【００４５】
制御部２９０は、予め格納された制御プログラムに応じて、太陽光パネルで発電した電力の供給先を取得した情報に基づいて、切換制御する。具体的には、本実施形態では、取得した配電線電圧値が所定の電圧値以上で、かつ、取得した天候情報から予め定められた時間以上に晴天が続くと予測される場合に、太陽光パネルで発電した電力を宅内で消費するモードあるいは、蓄電池に充電をしながら、宅内で消費するモードに切り替える。
【００４６】
＜太陽光発電電力制御システムの処理＞
図３を用いて、本実施形態に係る太陽光発電電力制御システムの処理について説明する。
【００４７】
まず、制御部２９０は、配電線電圧値を取得するとともに、天候情報を取得する（ステップＳ１０１）。制御部２９０は、取得した配電線電圧値と天候情報とから、余剰電力の判定を行う（ステップＳ１０２）。なお、余剰電力の判定は、図４に示すように、電力会社の供給電圧値が余剰電力判定電圧値（ＳＶｍａｘ）よりも大きく、晴天の継続時間が晴天判定時間よりも長い場合に、余剰電力が有ると判定し、電力会社の供給電圧値が余剰電力判定電圧値（ＳＶｍａｘ）よりも小さく、晴天の継続時間が晴天判定時間よりも短い場合に、余剰電力が無いと判定する。
【００４８】
制御部２９０が、余剰電力がないと判定した場合（ステップＳ１０２の「無し」）には、太陽光パネル１００が発電した全量を売電とし（ステップＳ１０３）、余剰電力があると判定した場合（ステップＳ１０２の「有り」）には、蓄電池３００の容量を確認する（ステップＳ１０４）。
【００４９】
蓄電池３００の容量を確認した結果、蓄電池３００の容量に空きがない場合（ステップＳ１０４の「空無し」）、蓄電池３００から負荷装置５００に一部電力を供給し（ステップＳ１０５）、ステップＳ１０４に戻り、蓄電池３００の容量を確認する。一方、蓄電池３００の容量を確認した結果、蓄電池３００の容量に空きがある場合（ステップＳ１０４の「空有り」）、宅内消費モードに切り替える（ステップＳ１０６）。
【００５０】
次に、発電電力と負荷消費電力とを比較し（ステップＳ１０７）、発電電力（ＰＶ）が負荷消費電力よりも大きいとき（ステップＳ１０７の「ＰＶ＞負荷」）は、蓄電池３００への充電を行いながら、負荷装置５００に電力を供給する（ステップＳ１０８）。一方、発電電力と負荷消費電力とを比較し（ステップＳ１０７）、発電電力（ＰＶ）が負荷消費電力よりも小さいとき（ステップＳ１０７の「ＰＶ＜負荷」）は、負荷装置５００に電力を供給する（ステップＳ１０９）。
【００５１】
以上、説明したように、本実施形態によれば、自宅のあるエリアにおいて太陽光発電の余剰電力が発生すると判断した場合には、太陽光発電による電力を宅内での消費や蓄電池への充電を行うことにより、発電した電力を無駄なく利用することができる。
【００５２】
なお、本実施形態では、電力会社の供給電圧値が余剰電力判定電圧値（ＳＶｍａｘ）よりも大きく、晴天の継続時間が晴天判定時間よりも長い場合に、余剰電力が有ると判定したが、電力会社の供給電圧値が余剰電力判定電圧値（ＳＶｍａｘ）よりも大きく、晴天のときには、リアルタイムで太陽光パネル１００での発電電力の供給先を切り替えるようにしてもよい。
【００５３】
＜第２の実施形態＞
図５および図６を用いて、本発明の第２の実施形態について説明する。
なお、本実施形態は、取得した電力ピーク情報、電気料金情報、天候情報と検出した負荷での電力消費状況とを分析して、宅内での電力消費が最も経済的であると判断した場合に、太陽光パネルで発電した電力を宅内で消費するモードあるいは、蓄電池に充電をしながら、宅内で消費するモードに切り替えるものである。
【００５４】
＜電力制御装置の構成＞
図５を用いて、本実施形態に係る電力制御装置の構成について説明する。本実施形態に係る電力制御装置は、図２に示すように、ＭＰＰＴ  ＤＣ／ＤＣコンバータ２１０と、切替部２２０と、ＤＣ／ＡＣインバータ２３０と、配電線電圧値取得部２４１と、天候情報取得部２４２と、電気料金情報取得部２４３と、電力ピーク情報取得部２４４と、ＤＣ分電部２６０と、ＡＣ分電部２７０と、ＡＣ／ＤＣコンバータ２８０と、制御部２９１とから構成されている。なお、第１の実施形態と同一の符号を付す構成要素については、同様の機能を有することから、その詳細な説明は、省略する。
【００５５】
電気料金情報取得部２４３は、データベース４００から、電気料金情報を取得する。電力ピーク情報取得部２４４は、データベース４００から、電力ピーク情報を取得する。制御部２９１は、取得した電力ピーク情報、電気料金情報、天候情報と検出した負荷での電力消費状況とを分析して、宅内での電力消費が最も経済的であると判断した場合に、太陽光パネルで発電した電力を宅内で消費するモードあるいは、蓄電池に充電をしながら、宅内で消費するモードに切り替える。
【００５６】
＜太陽光発電電力制御システムの処理＞
図６を用いて、本実施形態に係る太陽光発電電力制御システムの処理について説明する。
【００５７】
まず、制御部２９０は、電気料金情報、電力ピーク情報、配電線電圧値、を取得するとともに、天候情報を取得する（ステップＳ２０１）。制御部２９０は、取得した配電線電圧値と天候情報とから、余剰電力の判定を行う（ステップＳ２０２）。なお、余剰電力の判定は、図４に示すように、電力会社の供給電圧値が余剰電力判定電圧値（ＳＶｍａｘ）よりも大きく、晴天の継続時間が晴天判定時間よりも長い場合に、余剰電力が有ると判定し、電力会社の供給電圧値が余剰電力判定電圧値（ＳＶｍａｘ）よりも小さい場合に、余剰電力が無いと判定する。
【００５８】
制御部２９０が、余剰電力がないと判定した場合（ステップＳ２０２の「無し」）には、電力料金の比較を行い（ステップＳ２０３）、売電価格が買電価格よりも高いとき（ステップＳ２０３の「Ｎｏ」）には、太陽光パネル１００が発電した全量を売電とする（ステップＳ２０４）。一方で、余剰電力があると判定した場合（ステップＳ２０２の「有り」）には、蓄電池３００の容量を確認する（ステップＳ２０５）。
【００５９】
蓄電池３００の容量を確認した結果、蓄電池３００の容量に空きがない場合（ステップＳ２０５の「空無し」）、蓄電池３００から負荷装置５００に一部電力を供給し（ステップＳ２０６）、ステップＳ２０５に戻り、蓄電池３００の容量を確認する。一方、蓄電池３００の容量を確認した結果、蓄電池３００の容量に空きがある場合（ステップＳ２０５の「空有り」）、宅内消費モードに切り替える（ステップＳ２０７）。
【００６０】
次に、発電電力と負荷消費電力とを比較し（ステップＳ２０８）、発電電力（ＰＶ）が負荷消費電力よりも大きいとき（ステップＳ２０８の「ＰＶ＞負荷」）は、蓄電池３００への充電を行いながら、負荷装置５００に電力を供給する（ステップＳ２０９）。一方、発電電力と負荷消費電力とを比較し（ステップＳ２０８）、発電電力（ＰＶ）が負荷消費電力よりも小さいとき（ステップＳ２０８の「ＰＶ＜負荷」）は、負荷装置５００に電力を供給する（ステップＳ２１０）。
【００６１】
以上、説明したように、本実施形態によれば、取得した電力ピーク情報、電気料金情報、天候情報と検出した負荷での電力消費状況とを分析して、宅内での電力消費が最も経済的であると判断した場合に、太陽光パネルで発電した電力を宅内で消費するモードあるいは、蓄電池に充電をしながら、宅内で消費するモードに切り替えるため、太陽光発電で発電した電力を無駄なく、かつ、経済的に利用することができる。
【００６２】
＜第３の実施形態＞
図７および図８を用いて、本発明の第３の実施形態について説明する。
なお、本実施形態は、取得した配電線電圧値から停電状態を検出し、太陽光パネルでの発電電力量が負荷での消費電力量よりも小さく、蓄電池の残留容量が所定範囲以下であるときに、太陽光パネルで発電した電力を宅内で消費するモードあるいは、宅内で消費を停止するモードに切り替えるものである。
【００６３】
＜電力制御装置の構成＞
図７を用いて、本実施形態に係る電力制御装置の構成について説明する。本実施形態に係る電力制御装置は、図２に示すように、ＭＰＰＴ  ＤＣ／ＤＣコンバータ２１０と、切替部２２０と、ＤＣ／ＡＣインバータ２３０と、配電線電圧値取得部２４１と、ＤＣ分電部２６０と、ＡＣ分電部２７０と、ＡＣ／ＤＣコンバータ２８０と、制御部２９２とから構成されている。なお、第１の実施形態と同一の符号を付す構成要素については、同様の機能を有することから、その詳細な説明は、省略する。
【００６４】
制御部２９２は、取得した配電線電圧値から停電状態を検出し、太陽光パネルでの発電電力量が負荷での消費電力量よりも小さく、蓄電池の残留容量が所定範囲以下であるときに、太陽光パネルで発電した電力を宅内で消費するモードあるいは、宅内で消費を停止するモードに切り替える。
【００６５】
＜太陽光発電電力制御システムの処理＞
図７を用いて、本実施形態に係る太陽光発電電力制御システムの処理について説明する。
【００６６】
まず、制御部２９０は、配電線電圧値から、停電の発生を検出し（ステップＳ３０１）、宅内消費への切替を行う（ステップＳ３０２）。次に、制御部２９０は、発電電力と負荷消費電力とを比較し（ステップＳ３０３）、発電電力（ＰＶ）よりも負荷消費電力が大きい場合（ステップＳ３０３の「ＰＶ＜負荷」）には、蓄電池容量を確認する（ステップＳ３０４）。
【００６７】
制御部２９０は、蓄電池容量がＸ％よりも大きい場合（ステップＳ３０４の「Ｘ％＜容量」）には、全ての負荷装置５００での消費を行い（ステップＳ３０５）、蓄電池容量がＹ％よりも小さい場合（ステップＳ３０４の「Ｙ％＞容量」）には、全ての負荷装置５００での消費を停止する準備を行う（ステップＳ３０６）。また、蓄電池容量がＹ％よりも大きく、Ｘ％よりも小さい場合（ステップＳ３０４の「Ｙ％＜容量＜Ｘ％」）には、重要な負荷装置５００のみで消費を行う（ステップＳ３０７）。
【００６８】
制御部２９０は、発電電力（ＰＶ）よりも負荷消費電力が小さい場合（ステップＳ３０３の「ＰＶ＞負荷」）には、蓄電池容量を確認する（ステップＳ３０８）。制御部２９０は、蓄電池容量に空きがある場合（ステップＳ３０８の「空き有」）には、蓄電池３００へ充電を行いながら、負荷装置５００での消費を行う（ステップＳ３０９）、一方、蓄電池容量に空きがない場合（ステップＳ３０８の「空き無」）には、負荷装置５００での消費を行う（ステップＳ３１０）。
【００６９】
以上、説明したように、本実施形態によれば、太陽光パネルでの発電電力量が負荷での消費電力量よりも小さく、蓄電池の残留容量が所定範囲以下であるときに、太陽光パネルで発電した電力を宅内で消費するモードあるいは、宅内で消費を停止するモードに切り替え、取得した配電線電圧値から停電状態を検出し、太陽光パネルでの発電電力量が負荷での消費電力量よりも大きく、蓄電池の残留容量が所定範囲以上であるときに、太陽光パネルで発電した電力を宅内で消費するモードあるいは、蓄電池に充電をしながら、宅内で消費するモードに切り替える。したがって、太陽光発電により発電した電力を無駄なく、有効に利用することができる。
【００７０】
なお、太陽光発電電力制御システムにおける電力制御装置の処理をコンピュータシステムが読み取り可能な記録媒体に記録し、この記録媒体に記録されたプログラムを太陽光発電電力制御システムにおける電力制御装置に読み込ませ、実行することによって本発明の太陽光発電電力制御システムを実現することができる。ここでいうコンピュータシステムとは、ＯＳや周辺装置等のハードウェアを含む。
【００７１】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７２】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００７３】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７４】
１００；太陽光パネル
２００；電力制御装置
２１０；ＭＰＰＴ  ＤＣ／ＤＣコンバータ
２２０；切替部
２３０；ＤＣ／ＡＣインバータ
２４１；配電線電圧値取得部
２４２；天候情報取得部
２４３；電気料金情報取得部
２４４；電力ピーク情報取得部
２６０；ＤＣ分電部
２７０；ＡＣ分電部
２８０；ＡＣ／ＤＣコンバータ
２９０；制御部
２９１；制御部
２９２；制御部
３００；蓄電池
４００；データベース
５００；負荷装置
【図１】
2014068502.tif 000003
【図２】
2014068502.tif 000004
【図３】
2014068502.tif 000005
【図５】
2014068502.tif 000006
【図６】
2014068502.tif 000007
【図７】
2014068502.tif 000008
【図８】
2014068502.tif 000009
【図４】
2014068502.tif 000010